(57)【要約】【課題】使用者が使用時に直接にその吸熱性のよい構成材料としてのスペースユニットと接触しない座布団を提供しようとすることを目的とする。【解決手段】糸３０の連繋で複数のスペースユニット２０が平面状に敷延するように編成されてなった座布団において、前記複数のスペースユニット２０の間に、複数のその幅が前記スペースユニット２０のなった平面状の厚みより大である偏平状の柔軟性帯材１０が前記幅で前記平面状とその両端縁だけが突出するように交錯して前記複数のスペースユニット２０を区切るように編み込まれている座布団。【選択図】    図１
0003118867.tif 000002
【実用新案登録請求の範囲】
【請求項１】
糸の連繋で複数のスペースユニットが平面状に敷延するように編成されてなった座布団において、
前記複数のスペースユニットの間に、複数のその幅が前記スペースユニットからなった平面状の厚みより大である偏平状柔軟性帯材が、前記幅で前記平面状のものからその両端縁だけが突出するように交錯して前記複数のスペースユニットを区切るように編み込まれていることを特徴とする座布団。
【請求項２】
前記複数のスペースユニット及び前記柔軟性帯材は、いずれも互いに１列置きに並列していることを特徴とする請求項１に記載の座布団。
【請求項３】
前記複数のスペースユニットのいずれも、その両側の前記柔軟性帯材の幅の中心線の一方に偏るように位置して前記複数の柔軟性帯材のいずれかの前記複数のスペースユニットを境とする一方の幅が他方の幅より短くなっていることを特徴とする請求項２に記載の座布団。
【請求項４】
前記柔軟性帯材の他方は、上方に向かうようにされ、且つ、上から押圧されてもともとの状態から崩れて平面状になった場合、その両側のスペースユニット列のいずれかの半分以上を覆う幅を有することを特徴とする請求項３に記載の座布団。
【請求項５】
前記スペースユニットは皮革からなっていることを特徴とする請求項１〜４のいずれか一項に記載の座布団。
【考案の詳細な説明】
【技術分野】
【０００１】
本考案は、座布団に関し、特に、連繋糸で複数のスペースユニットが平面状に敷延するように編成されてなった座布団に関する。
【背景技術】
【０００２】
通常、座布団としては、連結糸により、玉状体、木片、竹切れなど吸熱性の良い複数のスペースユニットを繋いでなったものが使われている。前記のような座布団は、吸熱性の良いものを主な構成材料として作られ、且つスペースユニット同士間の隙間が多くあって通気性が良いので、通常時に涼しいという感じを与えるが、前記吸熱性であるため、冬の季節では、使用者が直接にそれと接触すると冷たくてよくない感じがするという欠点があり、また、夏の季節には、自動車内に置かれて、日差しで自動車の車体を通してどんどん入る高熱により大変熱くなり、同じく使用者に不快感を与えるという欠点もあった。
【考案の開示】
【考案が解決しようとする課題】
【０００３】
本考案は、前記に鑑みてなされたものであり、使用者が使用時に直接に皮革の構成材料としてのスペースユニットと接触しない座布団を提供しようとすることを目的とする。
【課題を解決するための手段】
【０００４】
前記目的を達成するために、本考案は、まず、糸の連繋で複数のスペースユニットが平面状に敷延するように編成されてなった座布団において、前記複数のスペースユニットの間に、複数のその幅が前記スペースユニットのなった平面状の厚みより大である偏平状の柔軟性帯材が前記幅で前記平面状とその両端縁だけが突出するように交錯して前記複数のスペースユニットを区切るように編み込まれていることを特徴とする座布団を提供する。
【０００５】
前記座布団の実施形態として、前記複数のスペースユニット及び前記柔軟性帯材は、いずれも１列置きに並列しているものが挙げられる。
【０００６】
また、前記実施形態において、前記複数のスペースユニットのいずれも、その両側の前記柔軟性帯材の幅の中心線の一方に偏るように位置して前記複数の柔軟性帯材のいずれかの前記複数のスペースユニットを境とする一方の幅が他方の幅より短くなっているものが好ましい。また、前記柔軟性帯材の他方は、上方に向うようになされ、且つ上から押圧されて、元の状態から崩れて平面状になった場合、その両側のスペースユニット列のいずれかの半分以上を覆う幅を有することが好ましい。
【０００７】
前記柔軟性帯材は皮革など薄いものからなったものが好ましい。それに対し、前記スペースユニットはもちろん他の材料で作られても良いが、従来のように吸熱性の良いものからなったものが好ましい。
【０００８】
なお、前記柔軟性帯材の幅の前記平面状との交錯は、９０度位の立て状態になっても良いが、斜めになっても良い。
【考案の効果】
【０００９】
前記構成による座布団は、複数のスペースユニットの間に複数のその幅がスペースユニットのなった平面状の厚みより大である偏平状の柔軟性帯材が前記幅で前記平面状と交錯するように編み込まれているので、使用時に、座布団と座席との間及び座布団と身体の着席部との間それぞれに多くの隙間を作って通気性を更に高めることができる一方、使用者の需要に応じて前記柔軟性帯材の前記他方を上にされた時、上から押圧されてもともとの立てまたは斜め状態から崩れて平面状になって、その両側のスペースユニット列のいずれかを半分以上を覆うことができるので、使用者の身体の着席部は直接にスペースユニットと接触しないようになり、冬の季節に冷たいという感じ、及び夏の季節に熱という感じが解消できる。
【考案を実施するための最良の形態】
【００１０】
以下、図面を参照しながら本考案の好適な実施例を詳細に説明する。
【００１１】
図１は本考案の座布団の実施形態の平視面図であり、図２は図１における線２−２に沿う一部断面図であり、図３は前記実施形態の座布団を翻して使用する場合を示す一部断面図である。
【００１２】
この実施形態の座布団は、糸３０の連繋糸で複数のスペースユニット２０が平面状に敷延し、且つその複数のスペースユニット２０の間に複数柔軟性帯材１０が編み込まれるように構成されている。
【００１３】
図３に示すように、この座布団は、主として直径Ｗ３の円球形であるスペースユニット２０から構成された平面状のものであるので、その厚みが円球状スペースユニット２０の直径Ｗ３にあたる。
【００１４】
そして、柔軟性帯材１０は、長尺な偏平状のものであり、その幅は、スペースユニット２０の直径Ｗ３と、該柔軟性帯材１０の幅の両端縁（即ち柔軟性帯材１０の長手方向に沿う両側縁）のスペースユニット２０より長くて突出した部分Ｗ１及びＷ２との合計長さを有する。
【００１５】
もっと詳しく説明すると、本考案の座布団は、図１に示すように、前記従来の座布団と同じように、糸３０の連繋糸で複数のスペースユニット２０が平面状に敷延するように編成されてなったものであるが、図２及び図３に示すように、その複数のスペースユニット２０の間には、複数のその幅（Ｗ１＋Ｗ２＋Ｗ３）が複数のスペースユニット２０からなった平面状のものの厚み（Ｗ３）より大である偏平状の柔軟性帯材１０がその幅（Ｗ１＋Ｗ２＋Ｗ３）で前記平面状のものとその両端縁が突出するように（Ｗ１、Ｗ２参照）交錯し、且つ複数のスペースユニット２０を区切るように立て状態に編み込まれている。また、複数のスペースユニット２０及び柔軟性帯材１０はいずれも互いに１列置きに並列している。それにより、使用時、複数の柔軟性帯材１０は、座布団と座席との間及び座布団と身体の着席部との間それぞれに多くの隙間を作って通気性を高める。
【００１６】
そして、複数のスペースユニット２０のいずれも、その両側の柔軟性帯材１０の幅（Ｗ１＋Ｗ２＋Ｗ３）の中心線の一方に偏るように位置して（Ｗ２＞Ｗ１；図２及び図３参照）複数の柔軟性帯材１０のいずれかの複数のスペースユニット２０を境とする一方の幅（Ｗ１＋Ｗ３／２；図２及び図３参照）が他方の幅（Ｗ２＋Ｗ３／２；図２及び図３参照）より短くなっている上、前記他方が上方にされ且つ上から押圧されて元々の立て状態から崩れて平面状になった場合、その両側のスペースユニット列のいずれかの半分以上を覆う幅を有する（図３参照）。このため、この座布団は、使用者を使用時に直接にその吸熱性のよい構成材料としてのスペースユニットと接触しないようにさせることができる。
【００１７】
なお、柔軟性帯材１０は皮革など薄いものを使用した方が良いが、他の合成皮革、編織物を使用しても良い。また、スペースユニット２０は従来のように、吸熱性の良いもの、例えば、玉状体、木片、竹切れを使用した方が良い。
【産業上の利用可能性】
【００１８】
本考案による座布団は、使用者の需要に応じて座布団と座席との間及び座布団と身体の着席部との間それぞれに多くの隙間を作り、または、使用者の身体の着席部が直接にスペースユニットと接触しないようにさせることができるので、夏の時、前者のような使用方法で通気性を高め、また、冬の時、後者の置かれて外の日差しで熱くなった時、着席部をそれとかりに隔離させ、不快な感じを解消することもできる。
【図面の簡単な説明】
【００１９】
【図１】本考案の座布団の平視面図。
【図２】図１における線２−２に沿う一部断面図。
【図３】本考案の座布団を翻して使用する場合を示す一部断面図。
【符号の説明】
【００２０】
１０…柔軟性帯材
２０…スペースユニット
３０…連繋糸
Ｗ１＋Ｗ３／２…一方の幅
Ｗ２＋Ｗ３／２…他方の幅
【図１】
0003118867.tif 000003
【図２】
0003118867.tif 000004
【図３】
0003118867.tif 000005